(57)【要約】      （修正有）【課題】透過性を必要とする媒体上に英数字や記号、カナをＬＥＤや液晶表示装置を用いて表現する電子機器、計測機器、医療用機器、家庭用電気製品などにおけるデータ表示に用いる情報提供装置を提供する。【解決手段】透明ガラス上に長尺の発光素子を各辺と対角線および中心線に配置した四辺形状のセルを複数マトリクス状に配列する。発光素子は長尺状でその面積を抑制することが可能であり、ガラス基板の透過視認性を確保することが出来る。これによってデザインの柔軟性と汎用性を高めた表示が可能となる。【選択図】図１（ａ）
2009025778.tif 000002
【特許請求の範囲】
【請求項１】
透過性を有する媒体に接してもしくは近接して平面上に発光もしくは濃淡を変化する表示素子が配置され、前記表示素子への通電を制御する手段を備えて文字および記号を表示する情報提供装置において、情報提供装置において前記文字および記号を表す表示素子が配列されている範囲に対して前記表示素子の占める面積の割合が１０％以下であることを特徴とする情報提供装置。
【請求項２】
特許請求第１項に記載された情報提供装置において、前記表示素子は略垂直方向および略水平方向に隣接して複数個配置されており、前記略垂直方向と略水平方向に隣接対向して配置される二対の前記表示素子によりなる四辺形の対角線上に一端が前記四辺形の対角線の交点に近接もしくは接して他端が前記四辺形の頂点に近接もしくは接して第二の表示素子が配置されていることを特徴とする情報提供装置。
【請求項３】
特許請求第１項に記載された情報提供装置において前記四辺形の辺を構成する表示素子は該辺の中点もしくはその近傍で分割され、各々独立して表示を制御することが可能で、前記中点もしくはその近傍に一端が、前記四辺形の中心に他端が配置されていることを特徴とする情報提供装置。
【発明の詳細な説明】
【技術分野】
【０００１】  本発明は、透過性を必要とする媒体上の情報提供装置に関する。
【産業上の利用分野】
【０００２】  本発明は、英数字や記号、カナをＬＥＤや液晶表示装置を用いて表現する電子機器、計測機器、医療用機器、家庭用電気製品などにおけるデータ表示に用いる情報提供装置に関する。
【背景技術】
【０００３】  従来よりある表示素子としてＬＥＤ素子を用いた７セグメント表示装置が知られている。７セグメント表示装置は主に数字を表示する素子として、電卓や電子機器で多く用いられているものである。図７は７セグメント表示装置における発光素子の配置について示したもので個々の発光素子を選択して発光することにより、図８に示すように数字を表現することができる。７セグメント表示装置は、小数点を示すドット表示を含めて、８個の表示素子の発光の有無を制御して数字を表すため、８ビットの信号を用いて発光状態を制御することが可能となる。従って、通常、１バイト、すなわち８ビットの信号を取り扱うマイクロプロセッサなどにおいて取り扱い易いものとなっている。
しかしながら、この７セグメント表示装置では、数字を示すことしかできず、文字や記号を示すことはできない。この方法を解決する手段として、１６セグメント表示などの方法も提案されているが、アルファベットならば大文字しか表現できない問題があり、しかもかなり形状的にわかりづらい欠点を有する。
７セグメント表示装置と異なる別の従来例としては、マトリクス配列表示装置がある。図９に示す例は、５×７のドット状の表示素子をマトリクス状に配列したものである。この発光素子を選択駆動することが可能となり図７に示すように様々な文字や記号を任意に示すことができる。
しかしながら、マトリクス配列表示装置は発光素子の数が多く、文字の表示などにおいては実際に表示に使う素子は少ないにもかかわらず、例えば、家庭や店舗、ビルなどの窓ガラスに情報提供装置を配置するような場合において、その透過性を損なうような欠点があった。
【発明が解決しようとする課題】
【０００４】  本発明が解決しようとする課題は、数字やアルファベットの大文字だけではなく小文字や記号、カナあるいは漢字のような複雑な文字を表示素子を用いて表現する情報提供装置を提供するもので、透過性が必要な応用においてもその透過性を損なうことのない表示装置を提供することにある。
【課題を解決するための手段】
【０００５】  上述した課題を解決するために、本発明では、長尺状の表示素子を縦、横にマトリクス状に少なくとも縦、横に３個以上の四辺形が構成されるように複数個配列する。加えて、各々の四辺形の交点間を結ぶ対角線上および対向して配置される表示素子の中点を結ぶ直線上にも表示素子を配置する。
これにより数字だけではなく、数字やアルファベットの大文字だけではなく小文字や記号、カナあるいは漢字のような複雑な文字を表現可能なものとすることができる。また、マトリクス上およびその対角線上に長尺の表示素子が配列されているため、表示時においても非表示時においても透過性を確保することが可能となる。
【作用】
【０００６】  本発明によれば、従来よりある方法と比較して少ない表示素子でしかも簡単な駆動制御回路で数字だけではなく、数字やアルファベットの大文字だけではなく小文字や記号、カナあるいは漢字のような複雑な文字を表現することができる。
【発明の実施例】
【０００７】    図１−ａに示す本発明の実施例は、ＬＥＤ発光素子を用いた場合の表示素子マトリクス配列について示したものである。発光素子は、長尺状のものであり、図１に示す例では、縦５行、横４列のマトリクス状に配列されている。この縦および横に配列された各々の発光素子により囲まれた四辺形の対角線上には、斜め方向に別のＬＥＤ発光素子が配置されている。
図１（ｂ）は、図１（ｂ）に示した表示素子マトリクス配列の構成をより詳細に示すために先に述べた縦、横に配列された各々の表示素子により構成される四辺形を拡大して示すものである。水平方向に配置された表示素子２、３と垂直方向に配置された表示素子４、５が配置されて四辺形を構成しており、また、四辺形の対角線上には表示素子６、７、８、９が各々配置されている。
図２は、図１（ｂ）に示した本発明の実施例における個々のＬＥＤ発光素子の電流駆動回路を示すものであり、それぞれのＬＥＤ発光素子は、ＰＮＰ型トランジスタ１８を通電し、一方、ＮＰＮ型トランジスタ１０〜１７を選択駆動することにより発光することができる。実際には、発光素子は先に図１（ａ）に示した数だけある。これに対応するため、ＰＮＰ型トランジスタ１８は、複数個配列されており、それらを時間毎に切り替えて選択通電する。トランジスタ３９〜４２を切り替えることにより、厳密には点滅発光することになる。この点滅は人間が視認できないような、例えばｍｓｅｃ単位以下の時間間隔で行なうことによりは表示素子を見る人の目には、点滅を意識することなく、どの発光素子が選択発光されているかを認識することができる。
図３は、図２に示した電流駆動回路を制御する手段を示すブロック図である。ＣＰＵ４３内にある記憶装置あるいは、外部に設けられた記憶装置４４内には文字を表現するための発光素子の電流通電パターンがキャラクタージェネレータとして内蔵されている。ＣＰＵ４３はある文字を表示させたい場合には、その文字を示す文字コードを受信し、キャラクタージェネレータを読み込み、ＬＥＤ発光素子に通電駆動を行なう。
図４は図１に示した表示素子配列を用いて、実際に英数字について表示した例である。図４に示すように文字や記号を違和感がなく、様々なパターンについて表現することが可能である。
図５は漢字を示すことが可能な表示素子の配列について示したものである。漢字は複雑な文字であり、一般には「鷹」という文字が表記には様々な線を用いることが必要であると言われている。図６は鷹についてその表示を示した図であるが、この表示装置を用いることにより、少ない表示素子数で表示することが可能であり、しかも透渦性を失うことがない。
【発明の効果】
【０００８】    本発明によれば、少ない表示素子でしかも簡単な駆動制御回路で数字だけではなく、文字や記号を表現することができる。従って、低コストな表示装置を短期間で開発することができる。また、この配列はドットマトリクス状の配列とは異なり、長尺状の表示素子を用いて表現するために、視認性を大きく損なうことがなく、例えば、家庭やオフィスの窓ガラスに設置した場合やブリーフィングを行なう際に用いる透過性を有するガラスなどに設置しても違和感のない表現が可能となる。
【図面の簡単な説明】
【０００９】
【図１】図１は、本発明の実施例である表示装置の表示素子の配列を示す図
【図２】図２は、本発明の実施例である表示装置の表示素子の駆動回路を示す図
【図３】図３は、本発明の実施例である表示装置の表示素子の発光制御回路を示すブロック図
【図４】図４は、本発明の実施例である表示装置による表示状態を示す図
【図５】図５は、本発明の実施例である表示装置による表示素子の配列を示す図
【図６】図６は、本発明の実施例である表示装置による漢字の表示状態を示す図
【図７】図７は、従来例における表示装置の表示素子の配列を示す図
【図８】図８は、従来例における表示装置による表示状態を示す図
【図９】図９は、別の従来例における表示装置の表示素子の配列を示す図
【図１０】図１０は、別の従来例における表示装置による表示状態を示す図
【符号の説明】
１．表示素子マトリクス、２〜９．表示素子、１０〜１７．ＮＰＮトランジスタ、１８．ＰＮＰトランジスタ、１９．ＣＰＵ、２０．記憶装置、２１．バス、２２．表示パターン、２３．表示素子マトリクス、２４．漢字表示パターン、２５〜３３．発光素子、３３．文字記号表示例、３４．表示素子、３５．文字表示例
【図１（ａ）】
2009025778.tif 000003
【図１（ｂ）】
2009025778.tif 000004
【図２】
2009025778.tif 000005
【図３】
2009025778.tif 000006
【図４】
2009025778.tif 000007
【図５】
2009025778.tif 000008
【図６】
2009025778.tif 000009
【図７】
2009025778.tif 000010
【図８】
2009025778.tif 000011
【図９】
2009025778.tif 000012
【図１０】
2009025778.tif 000013